(57)【特許請求の範囲】
【請求項１】
平板部の少なくとも一辺に第１の縁巻が形成された第１パネルと、
平板部の少なくとも一辺に形成され、前記第１の縁巻を外方から巻込む態様で形成され、かつ、前記第１の縁巻の一方端からその軸方向に挿入することによって前記第１の縁巻に係合する第２の縁巻が形成された第２パネルとを備え、
前記第２の縁巻の縁巻方向の縁巻端部と縁巻開始点との幅は、前記第１の縁巻の径より小さく形成され、
さらに、前記第１パネル又は前記第２パネルに形成され、前記第２の縁巻の前記第１の縁巻に対する軸方向への進行を所定位置で停止させるストッパー手段を備え、
前記ストッパー手段は、前記第１パネルの前記第１の縁巻が形成された辺に隣接する辺に形成された第３の縁巻を含み、
前記第２の縁巻の進行に伴ってその端部が前記第３の縁巻の外面に当接する、パネル連結構造。
【請求項２】
平板部の少なくとも一辺に第１の縁巻が形成された第１パネルと、
平板部の少なくとも一辺に形成され、前記第１の縁巻を外方から巻込む態様で形成され、かつ、前記第１の縁巻の一方端からその軸方向に挿入することによって前記第１の縁巻に係合する第２の縁巻が形成された第２パネルとを備え、
前記第２の縁巻の縁巻方向の縁巻端部と縁巻開始点との幅は、前記第１の縁巻の径より小さく形成され、
さらに、前記第１パネル又は前記第２パネルに形成され、前記第２の縁巻の前記第１の縁巻に対する軸方向への進行を所定位置で停止させるストッパー手段を備え、
前記ストッパー手段は、前記第２パネルの前記第２の縁巻が形成された辺に隣接する辺に形成された第４の縁巻を含み、
前記第２の縁巻の進行に伴って、前記第４の縁巻の外面が前記第１の縁巻の端部に当接する、パネル連結構造。
【請求項３】
前記第１パネルと前記第２パネルとは直交する態様で係合し、前記第２の縁巻を前記第１の縁巻に対してその軸方向を中心に回転させて前記第１パネルと前記第２パネルとがなす角度が大きくなるように移動させたとき、前記第２の縁巻の前記縁巻端部は、前記第１パネルの前記平板部に当接する、請求項１又は請求項２記載のパネル連結構造。
【請求項４】
前記第２の縁巻の前記縁巻端部には、前記第１パネルの前記平板部に沿って外方に伸びる平坦部が含まれ、
前記平坦部の端部が、前記第２パネルの移動時に前記第１パネルの前記平板部に当接する、請求項３記載のパネル連結構造。
【請求項５】
前記第１パネルは調理用油除けパネルを構成する正面パネルであり、
前記第２パネルは前記正面パネルに連結する第１の側面パネルである、請求項１から請求項４のいずれかに記載のパネル連結構造。
【請求項６】
前記調理用油除けパネルは、前記正面パネルの他方側に形成された縁巻を介して連結するための、前記第２パネルと同一構成よりなる第２の側面パネルをさらに備えた、請求項５記載のパネル連結構造。
【発明の詳細な説明】
【０００１】
【発明の属する技術分野】
この発明はパネル連結構造に関し、特にシステムキッチン用レンジ等の周囲を囲い調理時の油はねを防止するための調理用油除けパネル等に用いられるパネル連結構造に関するものである。
【０００２】
【従来の技術】
図１０は従来の調理用油除けパネルの使用状態を示した斜視図である。
【０００３】
図を参照して、システムキッチンレンジ５０はビルトインコンロとして、レンジトッププレート５１に四角枠形状のガードプレート５２が埋め込まれ、その内部に複数のバーナー部５３が平面的に配置されている。バーナー部５３の各々には、鍋をその上方に支持するための五徳の脚５４が配置されている。さらに、バーナー部５３の後方部には、図示しないグリル、オーブン等からの熱気を排出するためのグリル排気口５５が配置されている。
【０００４】
このように構成されたシステムキッチンレンジ５０のガードプレート５２における区画とその両側の面上に調理用油除けパネル６１が配置されている。調理用油除けパネル６１はガードプレート５２の区画に設置される矩形形状の正面パネル６２と、正面パネル６２の両側に回動自在に連結され、ガードプレート５２の両側上に配置される右側面パネル６３および左側面パネル６４とから構成される。このような調理用油除けパネル６１をガードプレート５２上に配置することによって、調理中における油はね等からシステムキッチンレンジ５０の周辺のレンジトッププレート５１や壁面等の汚れを防止することが可能となる。
【０００５】
図１１は図１０の“Ｚ”部分の拡大図である。
【０００６】
図を参照して、正面パネル６２の左側面パネル６４側の端部には、板の曲げ加工によって縁巻６５ａが形成されている。一方、左側面パネル６４の正面パネル６２側の端部も同様に縁巻６６が形成されている。そして正面パネル６２の縁巻６５ａと左側面パネル６４の縁巻６６とを接触させた状態で、Ｕ字形状のピン６７を縁巻６５ａおよび縁巻６６の各々にその上下から挿入する。これによって正面パネル６２と左側面パネル６４とはピン６７によって連結され、縁巻６５ａおよび縁巻６６を中心として互いに回動自在の状態に連結される。
【０００７】
このようにして、従来の調理用油除けパネル６１は、正面パネル６２に右側面パネル６３および左側面パネル６４を回動自在に連結し、使用時には右側面パネル６３および左側面パネル６４を正面パネル６２に対して直角方向に開いた状態で使用する。調理用油除けパネル６１を使用しない場合には、右側面パネル６３および左側面パネル６４を正面パネル６２側に重ねるようにして折り畳んで収納することができる。
【０００８】
しかしながら、このような側面パネルの連結構造を採用すると、ピンが別途必要なため、調理用油除けパネルを構成する部品の点数が増えてしまい、コスト的に不利なものとなる。
【０００９】
そこで、このような部品点数の増加を防止するために、上記で示したような連結用のピンを用いずに正面パネルと側面パネルとを直接連結させるための構造を示したものが図１２である。
【００１０】
図を参照して、正面パネル６２の端部の縁巻７６と左側面パネル６４の端部の縁巻７７とを同一方向の曲げ加工によって形成し、これらを各々の軸方向を整列させて上下方向からこれらを係合させたものである。これによって先に示したような接続用のピン６７を不要とすることができる。
【００１１】
【発明が解決しようとする課題】
しかしながら、図１０および図１１の従来の調理用油除けパネルの構造にあっては、正面パネル６２に対して右側面パネル６３および左側面パネル６４が回動自在となっているため使用時において調理用の鍋等が右側面パネル６３又は左側面パネル６４に接触した場合、これらは正面パネル６２に対して開く方向に移動してしまう。この移動の程度が所定の範囲を超えると調理用油除けパネル６１の側面パネルは平面視ハの字状となり、その設置安定性が損なわれる。場合によっては調理用油除けパネル６１がバーナー部５３側に倒れてしまう恐れがあり、調理時における安全性が損なわれてしまう恐れがある。
【００１２】
この問題は図１２で示したパネルの連結構造であっても同様である。
【００１３】
さらに、図１０で示した調理用油除けパネルを調理の状況によって移動させたい場合がある。この時、手前側にある右側面パネル６３および左側面パネル６４を両手で掴んで調理用油除けパネルを持ち上げようとすると、これらのパネルが正面パネル６２に対して上方向にスライドしてその係合がはずれてしまう恐れがある。尚、この問題は図１２の連結構造を採用した場合でも同様に生じるものである。
【００１４】
この発明は、上記のような課題を解決するためになされたもので、パネル同士の係合が安定したパネル連結構造を提供することを目的とする。
【００１５】
【課題を解決するための手段】
上記の目的を達成するために、請求項１記載の発明は、平板部の少なくとも一辺に第１の縁巻が形成された第１パネルと、平板部の少なくとも一辺に形成され、第１の縁巻を外方から巻込む態様で形成され、かつ第１の縁巻の一方端からその軸方向に挿入することによって第１の縁巻に係合する第２の縁巻が形成された第２パネルとを備え、第２の縁巻の縁巻方向の縁巻端部と縁巻開始点との幅は第１の縁巻の径より小さく、さらに第１パネルまたは第２パネルに形成され、第２の縁巻の第１の縁巻に対する軸方向への進行を所定位置で停止させるストッパー手段を備え、ストッパー手段は、第１パネルの第１の縁巻が形成された辺に隣接する辺に形成された第３の縁巻を含み、第２の縁巻の進行に伴ってその端部が第３の縁巻の外面に当接するものである。
【００１６】
このように構成すると、第２の縁巻の第１の縁巻に対する進行が所定位置で停止する。又、第２の縁巻は第１の縁巻全体に対して係合した状態で進行が停止する。
【００１９】
請求項２記載の発明は、平板部の少なくとも一辺に第１の縁巻が形成された第１パネルと、平板部の少なくとも一辺に形成され、第１の縁巻を外方から巻込む態様で形成され、かつ第１の縁巻の一方端からその軸方向に挿入することによって第１の縁巻に係合する第２の縁巻が形成された第２パネルとを備え、第２の縁巻の縁巻方向の縁巻端部と縁巻開始点との幅は第１の縁巻の径より小さく、さらに第１パネルまたは第２パネルに形成され、第２の縁巻の第１の縁巻に対する軸方向への進行を所定位置で停止させるストッパー手段を備え、ストッパー手段は第２パネルの第２の縁巻が形成された辺に隣接する辺に形成された第４の縁巻を含み、第２の縁巻の進行に伴って、第４の縁巻の外面が第１の縁巻の端部に当接するものである。
【００２０】
このように構成すると、第２の縁巻の第１の縁巻に対する進行が所定位置で停止する。又、第２の縁巻は第１の縁巻全体に対して係合した状態で進行が停止する。
【００２１】
請求項３記載の発明は、請求項１又は請求項２記載の発明の構成において、第１パネルと第２パネルとは直交する態様で係合し、第２の縁巻を第１の縁巻に対してその軸方向を中心に回転させて第１パネルと第２パネルとがなす角度が大きくなるように移動させたとき、第２の縁巻の縁巻端部は第１パネルの平板部に当接するものである。
【００２２】
このように構成すると、第１パネルの平板部の面と第２パネルの平板部の面とが互いに同一平面上に位置する前に移動が停止する。
【００２３】
請求項４記載の発明は、請求項３記載の発明の構成において、第２の縁巻の縁巻端部には第１パネルの平板部に添って外方に伸びる平坦部が含まれ、平坦部の端部が、第２パネルの移動時に第１パネルの平板部に当接するものである。
【００２４】
このように構成すると、第１パネルと第２パネルとの開き可能角度はより小さくなる。
【００２５】
請求項５記載の発明は、請求項１から請求項４のいずれかに記載の発明の構成において、第１パネルは調理用油除けパネルを構成する正面パネルであり、第２パネルは正面パネルの一方側に連結する第１の側面パネルとするものである。
【００２６】
このように構成すると、第１の側面パネルを持ち上げようとするとその力は正面パネルに伝達される。
【００２７】
請求項６記載の発明は、請求項５記載の発明の構成において、調理用パネルは、正面パネルの他方側に形成された縁巻を介して連結するための、第２パネルと同一構成よりなる第２の側面パネルをさらに備えたものである。
【００２８】
このように構成すると、第１の側面パネルおよび第２の側面パネルを持ち上げようとするとその力は正面パネルに伝達される。
【００２９】
【発明の効果】
以上説明したように、請求項１記載の発明は、第２の縁巻の第１の縁巻に対する進行が所定位置で停止するため、第２パネルの第１パネルとの連結状態が安定するため使い勝手が良い。又、第２の縁巻は第１の縁巻全体に対して係合した状態で停止するため、これらの縁巻同士の係合が安定する。
【００３１】
請求項２記載の発明は、第２の縁巻の第１の縁巻に対する進行が所定位置で停止するため、第２パネルの第１パネルとの連結状態が安定するため使い勝手が良い。又、第２の縁巻は第１の縁巻全体に対して係合した状態で停止するため、これらの縁巻同士の係合が安定する。
【００３２】
請求項３記載の発明は、請求項１又は請求項２記載の発明の効果に加えて、第１パネルの面と第２パネルの面とが同一平面上に位置することとはならないため、これらのパネルを開いた状態で立て掛けてもこれらのパネルが転倒することがない。
【００３３】
請求項４記載の発明は、請求項３記載の発明の効果に加えて、第１パネルと第２パネルとの開き可能角度はより小さくなるため、これらの立設状態がより安定する。
【００３４】
請求項５記載の発明は、請求項１から請求項４のいずれかに記載の発明の効果に加えて、第１の側面パネルのみを掴むことによって正面パネルも同時に移動できるため使い勝手が良い。
【００３５】
請求項６記載の発明は、請求項５記載の発明の効果に加えて、第１の側面パネルおよび第２の側面パネルを掴むことによって、正面パネルも同時により安定した状態で移動できるため使い勝手が良い。
【００３６】
【発明の実施の形態】
図１はこの発明の第１の実施の形態によるパネル連結構造を採用した調理用油除けパネルの使用状態を示した斜視図である。
【００３７】
図を参照して、調理用油除けパネル１６は薄い鉄板、アルミ板等の曲げ加工によって形成され、矩形平板状の正面パネル１７と、正面パネル１７の右側に連結された矩形平板形状の右側面パネル１８と、正面パネル１７の左側に連結された矩形平板形状の左側面パネル１９とから構成されている。調理用油除けパネル１６が設置されるシステムキッチンレンジ５０は図１０で示したものと同一であるが、その正面パネル１７と右側面パネル１８および左側面パネル１９の各々との連結構造が従来例で示した連結構造とは異なっている。
【００３８】
図２は図１の“Ｘ”部分の拡大図である。
【００３９】
図を参照して、正面パネル１７は矩形平板形状の平板部２１と平板部２１の上端縁を曲げ加工することによって形成された上部縁巻２２と、平板部２１の右端端部を曲げ加工することによって形成された右側部縁巻２３とから構成されている。一方、右側面パネル１８は矩形平板形状の平板部２５と、平板部２５の上端部を曲げ加工することによって形成された上部縁巻２６と、平板部２５の奥側端部を曲げ加工することによって形成された側部縁巻２７とから構成されている。尚、側部縁巻２７は右側部縁巻２３を外方から巻込む態様で形成されている。ところで、正面パネル１７と図１の左側面パネル１９との連結構造は、上記の正面パネル１７と右側面パネル１８との連結構造と同様であるため、以下の説明においてはその説明を省略する。
【００４０】
図３は図２の正面パネル１７と右側面パネル１８との係合の途中を示した斜視図である。
【００４１】
図を参照して、正面パネル１７と右側面パネル１８とを係合させる際には、正面パネル１７の右側部縁巻２３の下方端部から右側面パネル１８の側部縁巻２７の上側端部３３をその軸方向に進行させ、矢印で示すように側部縁巻２７を上方に移動させることによって係合させるものである。したがって正面パネル１７から右側面パネル１８を分離させる際には、矢印とは反対方向に側部縁巻２７を移動させることによって右側部縁巻２３と側部縁巻２７との係合が解除される。
【００４２】
図４は図２の状態から右側面パネル１８を掴んでこれを持ち上げようとした状態を示した斜視図である。
【００４３】
図を参照して、右側面パネル１８を持ち上げると側部縁巻２７は矢印の方向に移動する。ところが、側部縁巻２７の上側端部３３の上方に正面パネル１７の上部縁巻２２が張り出している位置関係となっている。したがって、側部縁巻２７の上側端部３３はストッパー手段として正面パネル１７の右側端部３１の外面に当接して、その移動を停止する。すなわち、右側面パネル１８に加えられた上方向の力は、側部縁巻２７の上側端部３３と上部縁巻２２との当接によって上部縁巻２２を介して正面パネル１７に伝達されることになる。
【００４４】
この正面パネル１７と右側面パネル１８との連結構造は、上記のように図１で示した正面パネル１７と左側面パネル１９との連結構造にも採用されているため、右側面パネル１８および左側面パネル１９を掴んでこれを持ち上げることによって正面パネル１７も同時に持ち上げることができる。したがって調理時の状況において調理用油除けパネル１６を移動させたいような場合、奥側に位置する正面パネル１７を掴む必要がないため使い勝手が良い。
【００４５】
図５は図２のＶ−Ｖラインの断面図である。
【００４６】
図を参照して、右側面パネル１８の側部縁巻２７は上述のように正面パネル１７の右側部縁巻２３を外方から巻込む態様で形成されている。すなわち、側部縁巻２７の内径は右側部縁巻２３の外径よりわずかに大きく形成されている。又、側部縁巻２７の縁巻開始点３６とその巻込み方向の端部となる縁巻端部３５とからなる寸法Ａは、正面パネル１７の右側部縁巻２３の外形寸法Ｂより小さく設定されている。このため、側部縁巻２７が右側部縁巻２３に対してどのような係合位置にあってもそれらの軸方向に対して直角方向に外れてしまう恐れはない。これによって右側部縁巻２３と側部縁巻２７とは安定した係合状態が保たれる。
【００４７】
次に、右側面パネル１８の平板部２５を矢印で示す方向に移動させた場合を想定する。この場合平板部２５は二点鎖線で示すように移動するとともに、側部縁巻２７の縁巻端部３５も二点鎖線で示すように矢印方向に移動する。そして矢印方向への移動が進むと、側部縁巻２７の縁巻端部３５は正面パネル１７の平板部２１の外面に当接することになる。
【００４８】
これによって平板部２５の矢印方向への移動は所定位置において停止することになる。寸法Ａは上述のように寸法Ｂより小さい関係にある。これは言いかえれば側部縁巻２７は右側部縁巻２３を半周以上外方から巻き込んでいることになる。したがって、右側部縁巻２３の縁巻端部３５が平板部２１の外面に当接した時点では、平板部２１と平板部２５とがそれらの面が同一平面上に位置する状態になることはない。その結果、正面パネル１７および右側面パネル１８の立設状態を保持することが可能となる。尚、この立設状態をより安定させるためには、平板部２１と平板部２５とがなす最大開き角度が１３０度程度となるように側部縁巻２７の縁巻端部３５の位置、すなわち側部縁巻２７の巻込み程度を設定しておくことが好ましい。
【００４９】
図６はこの発明の第２の実施の形態によるパネル連結構造の連結部の断面構造であって先の第１の実施の形態の図５に対応するものである。
【００５０】
図を参照して、平板部２１の右側部縁巻２３と平板部２５の側部縁巻２７との係合対応は図５と同様であるが、この実施の形態においては側部縁巻２７の巻込み側の端部に平坦部３７が形成されている点が異なっている。平坦部３７は、平板部２１と平板部２５とが直交した状態であるときに平板部２１とほぼ平行となるように形成されている。これによって平板部２５が矢印方向に移動した場合に、平坦部３７は二点鎖線で示すように移動しその端部３８が平板部２１に当接することになる。このため平坦部３７が形成されていない側部縁巻２７に対して、矢印方向へのより小さな移動によって平坦部３７が平板部２１に巻込み終端位置３９より先に当接することになる。したがって、平板部２５の平板部２１に対する開き角度を先の実施の形態による構造に比べてより小さくできるため、より安定した立設状態を保つことが可能となる。
【００５１】
又、この実施の形態による構造であれば、平板部２５に矢印方向により大きな力が加わった時には平坦部３７がその下面全体で平板部２１に当接する状態となるためより安定したストッパー機能を発揮することになる。
【００５２】
図７はこの発明の第３の実施の形態によるパネル連結構造を用いた調理用油除けパネルの使用状態を示した斜視図であり、図８は図７の“Ｙ”部分の拡大図に対応した部分切断図である。
【００５３】
これらの図を参照して、調理用油除けパネル１６が、正面パネル１７とこれに連結する右側面パネル１８および左側面パネル１９とから構成されている点は先の各実施の形態によるものと同一であるが、右側面パネル１８および左側面パネル１９の正面パネル１７に対する移動時におけるストッパー手段たる構造が異なっている。
【００５４】
図８に示されているように、正面パネル１７の右側部縁巻２３を右側面パネル１８の側部縁巻２７が外方から巻込む態様で形成されている点は同一である。そして、右側面パネル１８の平板部２５の下方端部を曲げ加工することによって下部縁巻４１が形成されているが、下部縁巻４１の端部は側部縁巻２７の下方に位置するように平板部２５から突き出されて形成されている。
【００５５】
図９は図８の状態から右側面パネル１８を掴んでこれを矢印方向に持ち上げようとしたときの変化を示した図である。
【００５６】
図を参照して、正面パネル１７には、図示していないが先の第１の実施の形態のように側部縁巻２７の上方への移動を阻止するための縁巻が形成されていないため、矢印方向に抵抗なく移動する。このため右側面パネル１８の下部縁巻４１も同様に矢印方向に移動する。ところが下部縁巻４１の端部は側部縁巻２７の下方に位置するように形成されているため、その部分の外面は矢印方向の移動に伴って側部縁巻２７の内方に位置する右側部縁巻２３の下側端部４２に当接することになる。
【００５７】
これによって、右側面パネル１８のそれ以上の矢印方向への移動が阻止される。このようにこの実施の形態においては下部縁巻４１の外方端部がストッパー手段を構成しており、右側面パネル１８の矢印方向に加えられた力を右側部縁巻２３を介して正面パネル１７に伝達する。このため、右側面パネル１８を持ち上げることによって、正面パネル１７を共に持ち上げることができ使い勝手が向上する。
【００５８】
尚、上記の各実施の形態においては、第２の縁巻が第１の縁巻に対してそれらの軸方向において完全に係合した状態でそれ以上の移動を阻止するようにストッパー手段が設けられているが、用途に応じて第１パネルの縁巻に対して第２パネルの縁巻が途中の係合状態で停止するようなストッパー手段を第１パネル又は第２パネルに形成するようにしても良い。
【００５９】
又、上記の第３の実施の形態では、平坦部３７は平板部２１と平板部２５とが直交状態にあるとき平板部２１に対して略平行に位置しているが、必ずしも平行である必要はなく、側部縁巻２７の縁巻終端部３９から外方に伸びるような形態であれば良い。
【００６０】
更に、上記の各実施の形態では、鉄板、アルミ板等の曲げ加工による調理用油除けパネルに適用しているが、アルミ箔等の金属箔を曲げ加工したパネルや調理用油除けパネル以外の用途における連結パネル等にも同様に適用できることは言うまでもない。
【００６１】
更に、上記の各実施の形態では、正面パネル１７と側面パネル１８，１９との開き角度を制限するストッパー機能を付加しているが、このようなストッパー機能はなく側部縁巻２７の上下方向の移動を所定位置で阻止するストッパー手段のみを備えるような構成としても良い。
【図面の簡単な説明】
【図１】この発明の第１の実施の形態によるパネル連結構造を用いた調理用油除けパネルの使用状態を示した斜視図である。
【図２】図１の“Ｘ”部分の拡大図である。
【図３】図２に示した正面パネル１７と右側面パネル１８との係合途中の状態を示した斜視図である。
【図４】図２の状態から右側面パネル１８を上方に持ち上げた状態の変化を示した斜視図である。
【図５】図２のＶ−Ｖラインの断面図である。
【図６】この発明の第２の実施の形態によるパネル連結構造の連結部分の断面図であって、第１の実施の形態の図５に対応した図である。
【図７】この発明の第３の実施の形態によるパネル連結構造を用いた調理用油除けパネルの使用状態を示した斜視図である。
【図８】図７の“Ｙ”部分の拡大図に対応した一部破断図である。
【図９】図８の状態から右側面パネル１８を持ち上げた状態の変化を示した図である。
【図１０】従来の調理用油除けパネルの使用状態を示した斜視図である。
【図１１】図１０の“Ｚ”部分の拡大図である。
【図１２】従来の調理用油除けパネルのパネル間の連結構造の他の例を示した斜視図である。
【符号の説明】
１６…調理用油除けパネル
１７…正面パネル
１８…右側面パネル
１９…左側面パネル
２１…平板部
２２…上部縁巻
２３…右側部縁巻
２５…平板部
２７…側部縁巻
３３…上側端部
３５…縁巻端部
３６…縁巻開始点
３７…平坦部
３８…端部
４１…下部縁巻
４２…下側端部
尚、各図中同一符号は同一又は相当部分を示す。
【図１】
0004724285.tif 000002
【図２】
0004724285.tif 000003
【図３】
0004724285.tif 000004
【図４】
0004724285.tif 000005
【図５】
0004724285.tif 000006
【図６】
0004724285.tif 000007
【図７】
0004724285.tif 000008
【図８】
0004724285.tif 000009
【図９】
0004724285.tif 000010
【図１０】
0004724285.tif 000011
【図１１】
0004724285.tif 000012
【図１２】
0004724285.tif 000013